(57)【要約】【課題】筆記体の挿入作業を迅速に行うことができ、且つ、１本のみの筆記体を軸筒内に収容したにもかかわらず適正な出没作動が可能となるサイドスライド式の出没式筆記具を提供する。【解決手段】軸筒２内に１本のみの筆記体６を前後方向に移動可能に収容する。筆記体６の後端に操作体７を連結する。窓孔４１から径方向外方に操作体７の操作部７１を突出させる。軸筒２の後端に、窓孔４１を後方に開口させる開閉自在の開口部４２を設ける。開口部４２を通して筆記体６及び操作体７を連結状態で、軸筒２内から取り外し可能且つ軸筒２内に挿入可能に構成する。窓孔４１の径方向反対側の軸筒２の側壁に解除部１０を設ける。解除部１０を径方向に押圧操作することによって、操作体７を径方向に変位させ、ペン先突出時の操作体７と係止壁部４３との係止状態を解除する。【選択図】  図１
2011056677.tif 000002
【特許請求の範囲】
【請求項１】
軸筒内に１本のみの筆記体を前後方向に移動可能に収容し、前記軸筒内に筆記体を後方に付勢する弾発体を収容し、前記弾発体の後方付勢に抗して筆記体を前方に移動させることにより、前記軸筒の前端孔より筆記体のペン先を外部に突出させる出没式筆記具であって、
前記筆記体の後端に操作体を連結し、前記軸筒の側壁に前後方向に延びる窓孔を径方向に貫設し、前記窓孔から径方向外方に前記操作体の操作部を突出させ、前記操作体を窓孔に沿って前後方向に移動可能に構成し、前記軸筒の後端に、前記窓孔を後方に開口させる開閉自在の開口部を設け、前記開口部を通して筆記体及び操作体を連結状態で、軸筒内から取り外し可能且つ軸筒内に挿入可能に構成し、前記軸筒の内壁に、ペン先突出時に操作体が係止する係止壁部を設け、前記窓孔の径方向反対側の軸筒の側壁に解除部を設け、前記解除部を径方向に押圧操作することによって、操作体を径方向に変位させ、前記ペン先突出時の操作体と係止壁部との係止状態を解除することを特徴とする出没式筆記具。
【請求項２】
前記操作体が、操作部と、該操作部の径方向反対側に形成された解除突部とを備え、前記解除部を、少なくとも前記解除突部から構成し、前記解除突部を径方向に押圧することによって、操作体を径方向に変位させ、前記ペン先突出時の操作体と係止壁部との係止状態を解除する請求項１記載の出没式筆記具。
【請求項３】
前記窓孔の径方向反対側の軸筒の側壁に、径方向に弾性変形可能な可動片を一体に連設し、前記解除部を、前記可動片と前記解除突部とから構成し、前記可動片を径方向に押圧することによって、前記可動片が前記解除突部を径方向に押圧し、前記操作体を径方向に変位させる請求項２記載の出没式筆記具。
【請求項４】
前記窓孔の径方向反対側の軸筒の側壁に解除孔を径方向に貫設し、ペン先突出時に前記解除突部を前記解除孔から径方向外方に突出させ、前記解除突部を直接押圧することによって前記操作体を径方向に変位させる請求項２記載の出没式筆記具。
【請求項５】
前記軸筒の内壁に弾発体支持部を設け、前記弾発体支持部の後面に弾発体の前端を係止させるとともに弾発体の後端を操作体の前面に係止させ、前記弾発体支持部に筆記体が遊挿される内孔を設け、前記内孔と前端孔を同一軸線上に位置させた請求項１乃至４の何れかに記載の出没式筆記具。
【発明の詳細な説明】
【技術分野】
【０００１】
本発明は、出没式筆記具に関する。詳細には、軸筒内に１本のみの筆記体を前後方向に移動可能に収容した出没式筆記具に関する。
【背景技術】
【０００２】
従来、この種の出没式筆記具において、軸筒の後端の押出杆を押圧することにより、ペン先が突出状態となり、軸筒側壁の板状突起を押圧することにより、ペン先突出状態が解除される構成のものが知られている（例えば特許文献１）。また、従来の出没式筆記具において、軸筒の後端開口部を通して、筆記体及び操作体を連結状態で交換可能な多芯筆記具が知られている（例えば、特許文献２）。
【先行技術文献】
【特許文献】
【０００３】
【特許文献１】実公昭４９−１８３４０号公報
【特許文献２】特開２００７−３８６３５号公報
【発明の概要】
【発明が解決しようとする課題】
【０００４】
前記特許文献１の出没式筆記具は、筆記体を軸筒内に挿入する際、軸筒を前部と後部とに分離し、軸筒前部に筆記体のペン先側を挿入し、軸筒後部に筆記体の後端部を挿入する構造であるため、筆記体の挿入作業を迅速に行うことができない。
【０００５】
また、前記特許文献２の出没式筆記具は、多芯筆記具であるため、１本のみの筆記体を軸筒内に収容した場合、ペン先突出状態にすることができても、該ペン先突出状態を解除することができない。また、前記特許文献２の出没式筆記具は、ペン先が軸筒の軸線方向に対して僅かに傾斜して突出するため、ペン先突出状態の外観性を低下させる。
【０００６】
本発明は、前記従来の問題点を解決するものであって、筆記体の挿入作業を迅速に行うことができ、且つ、１本のみの筆記体を軸筒内に収容したにもかかわらず適正な出没作動が可能となるサイドスライド式の出没式筆記具を提供しようとするものである。
尚、本発明において、軸筒において、「前」とは前端孔側を指し、「後」とはその反対側を指し、筆記体において、「前」とはペン先側を指し、「後」とはその反対側を指す。
【課題を解決するための手段】
【０００７】
［１］本願の第１の発明は、軸筒２内に１本のみの筆記体６を前後方向に移動可能に収容し、前記軸筒２内に筆記体６を後方に付勢する弾発体８を収容し、前記弾発体８の後方付勢に抗して筆記体６を前方に移動させることにより、前記軸筒２の前端孔３１より筆記体６のペン先６１を外部に突出させる出没式筆記具であって、前記筆記体６の後端に操作体７を連結し、前記軸筒２の側壁に前後方向に延びる窓孔４１を径方向に貫設し、前記窓孔４１から径方向外方に前記操作体７の操作部７１を突出させ、前記操作体７を窓孔４１に沿って前後方向に移動可能に構成し、前記軸筒２の後端に、前記窓孔４１を後方に開口させる開閉自在の開口部４２を設け、前記開口部４２を通して筆記体６及び操作体７を連結状態で、軸筒２内から取り外し可能且つ軸筒２内に挿入可能に構成し、前記軸筒２の内壁に、ペン先突出時に操作体７が係止する係止壁部４３を設け、前記窓孔４１の径方向反対側の軸筒２の側壁に解除部１０を設け、前記解除部１０を径方向に押圧操作することによって、操作体７を径方向に変位させ、前記ペン先突出時の操作体７と係止壁部４３との係止状態を解除することを要件とする。
【０００８】
前記第１の発明の出没式筆記具１は、開口部４２を通して筆記体６及び操作体７を連結状態で、軸筒２内から取り外し可能且つ軸筒２内に挿入可能に構成したことにより、筆記体６を一方向から軸筒２内に挿入できるため、筆記体６の挿入作業を迅速に行うことができる。また、前記第１の発明の出没式筆記具１は、窓孔４１の径方向反対側の軸筒２の側壁に解除部１０を設けたことにより、１本のみの筆記体６を軸筒２内に収容したにもかかわらず適正な出没作動が可能なサイドスライド式の出没式筆記具が得られ、その結果、操作体７が連結された筆記体６を、多芯筆記具と共通化できる。また、本実施の形態の出没式筆記具１は、１本のみの筆記体６を収容するため、軸筒２の外径を細くでき、スリムな外観を得る。
【０００９】
［２］本願の第２の発明は、前記第１の発明の出没式筆記具１において、前記操作体７が、操作部７１と、該操作部７１の径方向反対側に形成された解除突部７２とを備え、前記解除部１０を、少なくとも前記解除突部７２から構成し、前記解除突部７２を径方向に押圧することによって操作体７を径方向に変位させ、前記ペン先突出時の操作体７と係止壁部４３との係止状態を解除することを要件とする。
【００１０】
前記第２の発明の出没式筆記具１は、解除突部７２を径方向に押圧することによって操作体７を径方向に変位させ、ペン先突出時の操作体７と係止壁部４３との係止状態を解除する構成であるため、操作体７と係止壁部４３との係止状態を容易に解除できる。もし、ペン先突出時の操作体７と係止壁部４３との係止状態を解除する際、操作体７の解除突部７２以外の箇所を押圧する場合、操作体７と係止壁部４３との係止状態の解除が困難となる。
【００１１】
［３］本願の第３の発明は、前記第２の発明の出没式筆記具１において、前記窓孔４１の径方向反対側の軸筒２の側壁に、径方向に弾性変形可能な可動片４４を一体に連設し、前記解除部１０を、前記可動片４４と前記解除突部７２とから構成し、前記可動片４４を径方向に押圧することによって、前記可動片４４が前記解除突部７２を径方向に押圧し、前記操作体７を径方向に変位させることを要件とする。
【００１２】
前記第３の発明の出没式筆記具１は、ペン先突出時の操作体７と係止壁部４３との係止状態を解除する際、可動片４４を介して解除突部７２を押圧する構成であるため、多芯筆記具と共通な操作体７を容易に用いることができる。尚、前記第３の発明の出没式筆記具１において、前記可動片４４が、クリップ（即ちポケット等に挟持可能なクリップ）を兼ねる構成であってもよい。
【００１３】
［４］本願の第４の発明は、前記第２の発明の出没式筆記具１において、前記窓孔４１の径方向反対側の軸筒２の側壁に解除孔４５を径方向に貫設し、ペン先突出時に前記解除突部７２を前記解除孔４５から径方向外方に突出させ、前記解除突部７２を直接押圧することによって前記操作部７を径方向に変位させることを要件とする。
【００１４】
前記第４の発明の出没式筆記具１は、解除突部７２を指等で直接押圧する構成であるため、解除突部７２を確実に押圧することができ且つ簡易な構造にすることができる。
【００１５】
［５］本願の第５の発明は、前記第１乃至第４の何れかの発明の出没式筆記具１において、前記軸筒２の内壁に弾発体支持部９を設け、前記弾発体支持部９の後面に弾発体８の前端を係止させるとともに弾発体８の後端を操作体７の前面に係止させ、前記弾発体支持部９に筆記体６が遊挿される内孔９１を設け、前記内孔９１と前端孔３１を同一軸線上に位置させたことを要件とする。
【００１６】
前記第５の発明の出没式筆記具１は、内孔９１と前端孔３１を同一軸線上に位置させたことにより、ペン先６１が前端孔３１から軸筒２の軸線に沿って真っ直ぐに突出するため、ペン先突出時の外観性の低下を回避できるサイドスライド式の出没式筆記具を得る。
【発明の効果】
【００１７】
本発明によれば、筆記体の挿入作業を迅速に行うことができ、且つ、１本のみの筆記体を軸筒内に収容したにもかかわらず適正な出没作動が可能となるサイドスライド式の出没式筆記具が得られる。
【図面の簡単な説明】
【００１８】
【図１】本発明の第１の実施の形態のペン先没入状態を示す縦断面図である。
【図２】図１のＡ−Ａ線拡大断面図である。
【図３】図１のペン先突出状態を示す縦断面図である。
【図４】図１の解除部側の側面図である。
【図５】図１の開口部が閉鎖状態の窓孔側の側面図である。
【図６】図１の開口部が開放状態の窓孔側の側面図である。
【図７】図１の軸筒内に収容する前の状態の筆記体及び操作体を示す正面図である。
【図８】本発明の第２の実施の形態のペン先没入状態を示す縦断面図である。
【図９】図８のＢ−Ｂ線拡大断面図である。
【図１０】図８のペン先突出状態を示す縦断面図である。
【図１１】図８の解除部側の側面図である。
【図１２】図８の開口部が閉鎖状態の窓孔側の側面図である。
【図１３】図８の開口部が開放状態の窓孔側の側面図である。
【図１４】図８の軸筒内に収容する前の状態の筆記体及び操作体を示す正面図である。
【発明を実施するための形態】
【００１９】
＜第１の実施の形態＞
図１乃至図７に本発明の第１の実施の形態を示す。
【００２０】
本実施の形態の出没式筆記具１は、軸筒２と、該軸筒２内に前後方向に移動可能に収容される１本のみの筆記体６とからなる。前記筆記体６の後端には、操作体７が固着される。前記筆記体６及び操作体７は、弾発体８（具体的には圧縮コイルスプリング）により後方に付勢されている。
【００２１】
（軸筒）
前記軸筒２は、先細状の円筒体からなる前軸３と、該前軸３の後端部と螺合または圧入により連結される円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００２２】
前記後軸４の後部の側壁には、前後方向に延びる細長状の窓孔４１が１本、径方向に貫設される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００２３】
また、前記後軸４の側壁内面には、前後方向に延びるリブよりなる一対の係止壁部４３が形成される。前記係止壁部４３に、ペン先突出状態の筆記体６の後端に連結された操作体７の後端が係止される。
【００２４】
（解除部）
前記窓孔４１の径方向反対側の軸筒２（後軸４）の側壁には、ペン先突出時の操作体７と係止壁部４３との係止状態を解除する解除部１０が設けられる。前記解除部１０は、窓孔４１の径方向反対側の軸筒２（後軸４）の側壁に形成された径方向に弾性変形可能な可動片４４と、ペン先突出時に前記可動片４４の径方向内方に位置する解除突部７２とからなる。
【００２５】
（蓋部）
前記後軸４の後端部には、前記開口部４２を開閉自在にする蓋部５が回動自在に設けられる。前記蓋部５は、ヒンジ部５１により後軸４に回動自在に取り付けられる。前記ヒンジ部５１の回動軸は、ペン先下向きでヒンジ部５１を正面視したときのヒンジ部５１の左右方向に延設され、それにより、前記蓋部５は、略前後方向に回動自在となる。
【００２６】
前記蓋部５の前面には、当接壁部５２が形成される。前記当接壁部５２に、ペン先没入状態の筆記体６の後端に連結された操作体７の後端が衝止される。
【００２７】
（係合部、被係合部）
前記蓋部５の前面には、係合部５３が設けられる（具体的には係合凹部または係合孔部が形成される）。後軸４の後端には、前記係合部５３と係脱可能な被係合部４６が設けられる（具体的には係合凸部が突設される）。
【００２８】
前記係合部５３と前記被係合部４６は、蓋部５が開口部４２を閉鎖した際、互いに係合状態にあり、弾発体８の後方への付勢による操作体７と蓋部５の前面の当接壁部５２との当接では、その係合状態は解除されず、蓋部５が開くことはない。即ち、前記蓋部５による開口部４２の閉鎖状態において、係合部５３と被係合部４６との係合により、蓋部５の後方移動が阻止される。
【００２９】
（筆記体）
前記筆記体６は、例えば、ボールペンレフィル、シャープペンシルレフィル、サインペンレフィル、マーキングペンレフィル等、入力ペンレフィル（スタイラスペンレフィル）等の公知のペン先６１を備えたレフィルが挙げられる。
【００３０】
本実施の形態では、ボールペンレフィルが採用される。前記ボールペンレフィルは、ボールペンチップ（ペン先６１）と、該ボールペンチップを前端に備え且つ内部にインキが収容されたインキ収容管６２と、該インキ収容管６２の後端（即ちインキ収容管６２の後端開口部）に固着された操作体７とからなる。
【００３１】
（操作体）
図１及び図７に示すように、ボールペンレフィルの操作体７は、後端部に形成され且つ軸筒２の窓孔４１から軸筒２外部に突出する操作部７１と、該操作部７１の反対側に設けられる解除突部７２と、該操作部７１の反対側の解除突部７２の前方に設けられる前側突部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００３２】
（弾発体支持部）
軸筒２の内壁（即ち後軸４の内壁）には、円筒状の弾発体支持部９が固着される。前記弾発体支持部９は、筆記体６が挿通される内孔９１が軸方向に貫設されている。前記弾発体支持部９の後面と、操作体７の鍔部７５の前面との間には、弾発体８が配置される。前記弾発体８の内部に筆記体６が遊挿されるとともに、弾発体８の前端は弾発体支持部９の後面に係止され、弾発体８の後端は操作体７の鍔部７５の前面に係止される。前記弾発体８により、筆記体６及び操作体７が後方に付勢される。
【００３３】
前記弾発体支持部９の内孔９１は、軸筒２（後軸）の軸心（中心）に配置され、前記前端孔３１は、軸筒２（前軸３）の軸心（中心）に配置される。即ち、前記内孔９１と前記前端孔３１は、軸筒２の同一軸線上に位置される。それにより、ペン先６１が前端孔３１より軸筒２の軸線方向に沿って真っ直ぐに突出し、ペン先突出時の外観性が低下することを回避できる。
【００３４】
（ペン先の出没）
本実施の形態におけるペン先６１の出没作動について説明する。（図１及び図３参照）
操作体７の操作部７１を弾発体８の後方付勢に抗して窓孔４１に沿って前方に移動させると、前端孔３１より外部にペン先６１が突出されるとともに、軸筒２内面の係止壁部４３に操作体７の後端が係止される。これにより、ペン先突出状態（筆記可能状態）となる。このとき、解除突部７２が可動片４４の径方向内方に位置している
【００３５】
前記ペン先突出状態から可動片４４を指等で径方向（窓孔方向）に押圧すると、可動片４４が径方向に変位し、可動片４４が解除突部７２を径方向（窓孔方向）に押圧する。それにより、操作体７が径方向（窓孔方向）に変位し、操作体７と係止壁部４３との係止状態が解除される。それと同時に、弾発体８の後方付勢により筆記体６及び操作体７が後方に移動し、操作体７の後端が蓋部５の前面の当接壁部５２に当接衝止され、ペン先没入状態となる。
【００３６】
（筆記体及び操作体の交換）
本実施の形態における筆記体６及び操作体７の交換について説明する（図５及び図６参照）。
筆記体６及び操作体７を交換する際、蓋部５が軸筒２の後端の開口部４２を閉鎖した状態から、蓋部５のヒンジ部５１と反対側の操作端部を後方に押圧し、係合部５３と被係合部４６との係合を解除し、蓋部５を後方に回動させ、軸筒２の後端の開口部４２を開口する。前記開口部４２を開口させると、前記開口部４２から操作体７が、弾発体８の後方付勢により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５２に操作体７を当接させ、蓋部５を前方に回動させ、その後、係合部５３と被係合部４６とを係合させ、開口部４２を閉鎖する。これにより、筆記体６及び操作体７の交換作業が終了する。
【００３７】
（本実施の形態の作用）
本実施の形態の出没式筆記具１は、開口部４２を通して筆記体６及び操作体７を連結状態で、軸筒２内から取り外し可能且つ軸筒２内に挿入可能に構成したことにより、筆記体６を一方向から軸筒２内に挿入できるため、筆記体６の挿入作業を迅速に行うことができる。また、本実施の形態の出没式筆記具１は、軸筒２側壁の窓孔４１の径方向反対側に解除部１０を設けたことにより、１本のみの筆記体６を軸筒２内に収容したにもかかわらず適正な出没作動が可能なサイドスライド式の出没式筆記具が得られ、その結果、操作体７が連結された筆記体６を、多芯筆記具と共通化できる。
【００３８】
本実施の形態の出没式筆記具１は、解除突部７２を径方向に押圧することによって、操作体７を径方向に変位させ、ペン先突出時の操作体７と係止壁部４３との係止状態を解除する構成であるため、操作体７と係止壁部４３との係止状態の解除が容易となる。
【００３９】
本実施の形態の出没式筆記具１は、ペン先突出時の操作体７と係止壁部４３との係止状態を解除する際、可動片４４を介して解除突部７２を押圧する構成であるため、多芯筆記具と共通な操作体７を容易に用いることができる。
【００４０】
＜第２の実施の形態＞
図８乃至図１４に本発明の第２の実施の形態を示す。
【００４１】
本実施の形態の出没式筆記具１は、軸筒２と、該軸筒２内に前後方向に移動可能に収容される１本のみの筆記体６とからなる。前記筆記体６の後端には、操作体７が固着される。前記筆記体６及び操作体７は、弾発体８（具体的には圧縮コイルスプリング）により後方に付勢されている。
【００４２】
（軸筒）
前記軸筒２は、先細状の円筒体からなる前軸３と、該前軸３の後端部と螺合または圧入により連結される円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００４３】
前記後軸４の後部の側壁には、前後方向に延びる細長状の窓孔４１が１本、径方向に貫設される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００４４】
また、前記後軸４の側壁内面には、前後方向に延びるリブよりなる一対の係止壁部４３が形成され、前記係止壁部４３に、ペン先６１が突出した際の筆記体６の操作体７の後端が係止される。
【００４５】
（解除部）
前記窓孔４１の径方向反対側の軸筒２（後軸４）の側壁には、解除孔４５が径方向に貫設される。ペン先突出時、前記解除孔４５から解除突部７２が径方向外方に突出される。前記解除突部７２が、ペン先突出状態を解除する解除部１０となる。
【００４６】
（蓋部）
前記後軸４の後端部には、前記開口部４２を開閉自在にする蓋部５が回動自在に設けられる。前記蓋部５は、ヒンジ部５１により後軸４に回動自在に取り付けられる。前記ヒンジ部５１の回動軸は、ペン先下向きでヒンジ部５１を正面視したときのヒンジ部５１の左右方向に延設され、それにより、前記蓋部５は、略前後方向に回動自在となる。
【００４７】
前記蓋部５の前面には、当接壁部５２が形成される。前記当接壁部５２に、ペン先没入状態の筆記体６の後端に連結された操作体７の後端が衝止される。
【００４８】
（係合部、被係合部）
前記蓋部５の前面には、係合部５３が設けられる（具体的には係合凹部または係合孔部が形成される）。後軸４の後端には、前記係合部５３と係脱可能な被係合部４６が設けられる（具体的には係合凸部が突設される）。
【００４９】
前記係合部５３と前記被係合部４６は、蓋部５が開口部４２を閉鎖した際、互いに係合状態にあり、弾発体８の後方への付勢による操作体７と蓋部５前面の当接壁部５２との当接では、その係合状態は解除されず、蓋部５が開くことはない。即ち、前記蓋部５による開口部４２の閉鎖状態において、係合部５３と被係合部４６との係合により、蓋部５の後方移動が阻止される。
【００５０】
（筆記体）
前記筆記体６は、例えば、ボールペンレフィル、シャープペンシルレフィル、サインペンレフィル、マーキングペンレフィル等、入力ペンレフィル（スタイラスペンレフィル）等の公知のペン先６１を備えたレフィルが挙げられる。
【００５１】
本実施の形態では、ボールペンレフィルが採用される。前記ボールペンレフィルは、ボールペンチップ（ペン先６１）と、該ボールペンチップを前端に備え且つ内部にインキが収容されたインキ収容管６２と、該インキ収容管６２の後端（即ちインキ収容管６２の後端開口部）に固着された操作体７とからなる。
【００５２】
（操作体）
図８及び図１４に示すように、ボールペンレフィルの操作体７は、後端部に形成され且つ軸筒２の窓孔４１から軸筒２外部に突出する操作部７１と、該操作部７１の反対側に設けられる解除突部７２と、該操作部７１の反対側の解除突部７２の前方に設けられる前側突部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００５３】
（弾発体支持部）
軸筒２の内壁（即ち後軸４の内壁）には、円筒状の弾発体支持部９が固着される。前記弾発体支持部９は、筆記体６が挿通される内孔９１が軸方向に貫設されている。前記弾発体支持部９の後面と、操作体７の鍔部７５の前面との間には、弾発体８が配置される。前記弾発体８の内部に筆記体６が遊挿されるとともに、弾発体８の前端は弾発体支持部９の後面に係止され、弾発体８の後端は操作体７の鍔部７５の前面に係止される。前記弾発体８により、筆記体６及び操作体７が後方に付勢される。
【００５４】
前記弾発体支持部９の内孔９１は、軸筒２（後軸）の軸心（中心）に配置され、前記前端孔３１は、軸筒２（前軸３）の軸心（中心）に配置される。即ち、前記内孔９１と前記前端孔３１は、軸筒２の同一軸線上に位置される。それにより、ペン先６１が前端孔３１より軸筒２の軸線方向に沿って真っ直ぐに突出し、ペン先突出時の外観性が低下することを回避できる。
【００５５】
（ペン先の出没）
本実施の形態におけるペン先６１の出没作動について説明する。（図８及び図１０参照）
操作体７の操作部７１を弾発体８の後方付勢に抗して窓孔４１に沿って前方に移動させると、前端孔３１より外部にペン先６１が突出されるとともに、軸筒２内面の係止壁部４３に操作体７の後端が係止される。これにより、ペン先突出状態（筆記可能状態）となる。このとき、解除孔４５から解除突部７２が径方向外方に突出される。
【００５６】
前記ペン先突出状態から解除突部７２を径方向（窓孔方向）に直接、指等で押圧すると、操作体７が径方向（窓孔方向）に変位し、それにより、操作体７と係止壁部４３との係止状態が解除される。それと同時に、弾発体８の後方付勢により筆記体６及び操作体７が後方に移動し、筆記体６の操作体７の後端が蓋部５の前面の当接壁部５２に当接衝止され、ペン先没入状態となる。
【００５７】
（筆記体及び操作体の交換）
本実施の形態における筆記体６及び操作体７の交換について説明する（図１２及び図１３参照）。
筆記体６及び操作体７を交換する際、蓋部５が軸筒２の後端の開口部４２を閉鎖した状態から、蓋部５のヒンジ部５１と反対側の操作端部を後方に押圧し、係合部５３と被係合部４６との係合を解除し、蓋部５を後方に回動させ、軸筒２の後端の開口部４２を開口する。前記開口部４２を開口させると、前記開口部４２から操作体７が、弾発体８の後方付勢により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５２に操作体７を当接させ、蓋部５を前方に回動させ、その後、係合部５３と被係合部４６とを係合させ、開口部４２を閉鎖する。これにより、筆記体６及び操作体７の交換作業が終了する。
【００５８】
（本実施の形態の作用）
本実施の形態の出没式筆記具１は、開口部４２を通して筆記体６及び操作体７を連結状態で、軸筒２内から取り外し可能且つ軸筒２内に挿入可能に構成したことにより、筆記体６を一方向から軸筒２内に挿入できるため、筆記体６の挿入作業を迅速に行うことができる。また、本実施の形態の出没式筆記具１は、窓孔４１の径方向反対側の軸筒２の側壁に解除部１０を設けたことにより、１本のみの筆記体６を軸筒２内に収容したにもかかわらず適正な出没作動が可能なサイドスライド式の出没式筆記具が得られ、その結果、操作体７が連結された筆記体６を、多芯筆記具と共通化できる。
【００５９】
本実施の形態の出没式筆記具１は、解除突部７２を径方向に押圧することによって操作体７を径方向に変位させ、ペン先突出時の操作体７と係止壁部４３との係止状態を解除する構成であるため、操作体７と係止壁部４３との係止状態の解除が容易となる。
【００６０】
本実施の形態の出没式筆記具１は、ペン先突出状態を解除する際、解除突部７２を指等で直接押圧する構成であるため、解除突部７２を確実に押圧することができ且つ簡易な構造にすることができる。
【符号の説明】
【００６１】
１  出没式筆記具
２  軸筒
３  前軸
３１  前端孔
４  後軸
４１  窓孔
４２  開口部
４３  係止壁部
４４  可動片
４５  解除孔
４６  被係合部
５  蓋部
５１  ヒンジ部
５２  当接壁部
５３  係合部
６  筆記体
６１  ペン先
６２  インキ収容管
７  操作体
７１  操作部
７２  解除突部
７３  前側出部
７４  嵌入部
７５  鍔部
８  弾発体
９  弾発体支持部
９１  内孔
１０  解除部
【図１】
2011056677.tif 000003
【図２】
2011056677.tif 000004
【図３】
2011056677.tif 000005
【図４】
2011056677.tif 000006
【図５】
2011056677.tif 000007
【図６】
2011056677.tif 000008
【図７】
2011056677.tif 000009
【図８】
2011056677.tif 000010
【図９】
2011056677.tif 000011
【図１０】
2011056677.tif 000012
【図１１】
2011056677.tif 000013
【図１２】
2011056677.tif 000014
【図１３】
2011056677.tif 000015
【図１４】
2011056677.tif 000016